(57)【要約】      （修正有）【課題】細繊度化を伴う多糸条化、かつ高速度処理がなされる好適な原糸交絡を与える新規な合成繊維マルチフィラメント糸と、該合成繊維マルチフィラメント糸を製造するのに好適に用いられる交絡処理装置と交絡処理方法を提供する。【解決手段】糸条が通過する糸道部と、該糸道部に開口する流体噴射孔１５と、該流体噴射孔１５から噴射された流体により、前記糸道部を通過する糸条に交絡を付与する糸処理部とからなるマルチフィラメント糸の交絡処理装置において、前記糸道部が、該糸道部の前記糸条の走行方向に垂直な断面における断面積が最も小さくなる絞り部２１を有し、前記断面積が前記絞り部２１から前記糸道部の糸条の出入り口部に向けてなだらかに拡大し、前記流体噴射孔１５が前記糸条の走行方向に対して、前記絞り部２１より下流に開口することを特徴とするマルチフィラメント糸の交絡処理装置。【選択図】図３
2013227711.tif 000002
【特許請求の範囲】
【請求項１】
糸条が通過する糸道部と、該糸道部に開口する流体噴射孔と、該流体噴射孔から噴射された流体により、前記糸道部を通過する糸条に交絡を付与する糸処理部と、前記糸道部に前記糸条を導入する導糸部とからなるマルチフィラメント糸の交絡処理装置において、前記糸道部が、該糸道部の前記糸条の走行方向に垂直な断面における断面積が最も小さくなる絞り部を有し、
前記断面積が前記絞り部から前記糸道部の糸条の出入り口部に向けてなだらかに拡大し、前記流体噴射孔が前記糸条の走行方向に対して、前記絞り部より下流に開口し、前記絞り部の前記糸条の走行方向に垂直な断面における断面積Ａと糸条の太さＴとの関係が以下の式を満足することを特徴とするマルチフィラメント糸の交絡処理装置。
５０  ＜  Ａ／［Ｔ／１０７ρ］  ＜  １５０
Ａ：絞り部の断面積（ｍｍ２）
Ｔ：糸の太さ（デシテックス）
ρ：糸条の密度(ｇ／１０−６ｍｍ)
【請求項２】
前記糸条の走行方向に垂直な断面における前記絞り部の間隔をギャップ（Ｇ）とした場合、該ギャップ（Ｇ）が以下の式を満足することを特徴とする請求項１に記載のマルチフィラメント糸の交絡処理装置。
０．０５ｍｍ  ＜  Ｇ  ＜  ０．３ｍｍ
【請求項３】
前記糸条の走行軸線Ｙと前記流体噴射孔の軸線がなす角度β（°）が以下の式を満足することを特徴とする請求項１または２に記載のマルチフィラメント糸の交絡処理装置。
７０°＜  β  ＜  ８６°
【請求項４】
前記流体噴射孔が、互いに前記流体噴射孔の軸線の延長線上で交叉するように傾斜し前記糸処理部に開口する２つの流体噴射孔から構成されており、かつ、前記糸処理部が、外部と連通し前記糸処理部の役目も有するスリット部をからなることを特徴とする請求項１から３のいずれかに記載のマルチフィラメント糸の交絡処理装置。
【請求項５】
前記２つの流体噴射孔が開口する開口壁面に、対向する前記絞り部に対応する位置を起点として、前記２つの流体噴射孔に挟まれた領域に、前記糸条の進行方向に対して前記絞り部より下流側へ、装置外部と連通する凹部を有することを特徴とする請求項１から４のいずれかに記載のマルチフィラメント糸の交絡付与装置。
【請求項６】
加圧流体の導入路を内部に設けた流体供給部と、該流体供給部の前記加圧流体導入路に沿って間隔をおいて列状に配置された流体噴射ノズル部材及び１つの側板部材を備え、該流体噴射ノズル部材は、隣接する他の流体噴射ノズル部材或いは１つの側板部材との間に、糸処理部と、該糸処理部と外部とを連通するスリットが介在するように隔離され、前記それぞれの流体噴射ノズル部材には、糸処理部に開口する流体噴射孔が設けられていることを特徴とする請求項１から５のいずれかに記載のマルチフィラメント糸の交絡処理装置。
【請求項７】
糸道部に糸条を通過させ、前記糸道部に開口する流体噴射孔から噴射された流体により、前記糸道部を通過する糸条に交絡を付与するマルチフィラメント糸の交絡処理方法において、糸道部の糸条の導入側から排気される排気流の排気圧Ｐ１と上記糸道部の上記糸条の導出側から排気される排気流の排気圧Ｐ２の比率Ｐ２／Ｐ１が以下の式を満足する様に調整し、交絡を付与することを特徴とするマルチフィラメント糸の交絡処理方法。
５  ≦  Ｐ２／Ｐ１  ≦  １０
【請求項８】
前記排気流の調整を、該糸道部の前記糸条の走行方向に垂直な断面における断面積が最も小さくなる絞り部の断面積を調節することによって行うことを特徴とする請求項７に記載のマルチフィラメント糸の交絡処理方法。
【請求項９】
請求項１から６のいずれかに記載のマルチフィラメント糸交絡付与装置を用いてマルチフィラメント糸を製造することを特徴とするマルチフィラメント糸の製造方法。
【請求項１０】
１以上１０個/ｍ以下の交絡数を有するとともに、単糸繊度が０．１デシテックス以上２．０デシテックス以下あるいはフィラメント数が９０本数以上５００本数以下のいずれかの構成を有するマルチフィラメント糸。
【発明の詳細な説明】
【技術分野】
【０００１】
本発明は、マルチフィラメントからなる糸条に圧縮流体を噴射させることにより、糸条に交絡を付与するマルチフィラメント糸の交絡処理装置および交絡処理方法に関する。詳しくは、交絡処理による糸へのダメージを低減し、毛羽や弛みのない糸条品位に優れた交絡処理を行うことができるマルチフィラメント糸の交絡処理装置および交絡処理方法に関するものである。
【背景技術】
【０００２】
従来、合成繊維の製造プロセスにおいて、高速で走行するマルチフィラメントからなる糸条に集束性を与えることを目的に、前記マルチフィラメントからなる糸条に圧縮流体を噴射させることにより単糸繊維交互間に、交絡部と開繊部を交互に形成する交絡処理が行われている。
【０００３】
近年、合成繊維マルチフィラメント糸においては、布帛に製織したときの滑らかな肌触りや特有のしなやかさを得るため、多フィラメント化（例えば、フィラメント本数１００本以上５００本以下）や、単糸細繊度化（概して、０．１〜２．０デシテックス程度）などの糸条品位の高度化が急速に進みつつあり、交絡処理においても前記多フィラメント化や単糸細繊度化により懸念される毛羽や弛みに対応するため、交絡処理に伴う糸条へのダメージを低減する装置や方法が求められており、様々なものが提案されている。（特許文献1、2）
この特許文献１においてされている提案は、交絡処理装置の糸処理部において、流体噴射孔に対向する対向壁面を糸入り口部から糸出口部に向かって広がるように傾斜を設けることで、流体噴射孔から噴射された圧縮空気を糸処理部の出口方向に促して排出することで、噴射された圧縮空気が糸処理部の入口方向へ逆流を防ぐことで単糸の弛みや毛羽の低減を狙ったものである。しかし、糸処理部には貫通した凹部を有しているため逆流を完全に無くすことは不可能であり、近年のより多フィラメント化や単糸細繊度化には十分対応できたものと言えず、かつ高速度での処理が要求されるものには十分でなかった。
【０００４】
また、特許文献2における提案は、交絡処理装置の上流および下流にそれぞれ設ける糸道規制ガイドの位置の適正化に関するものである。しかし、その目標レベルの前提は、高速であるものの（特許文献2の段落0026）、実施例などに表されているごとく、フィラメント本数は50本以下、単繊維太さ（単フィラメント太さ）は４デニール（約4.4デシテックス）以上というものであって、特許文献1同様に近年のより多繊条化には十分に対応できたものと言えず、また、毛羽や弛みの低減のポイントである排出空気の逆流抑制に対する対応が成されていないため、特に細繊度化に伴う多フィラメント化であって、かつ高速度での処理が要求されるものには不十分であった。
【先行技術文献】
【特許文献】
【０００５】
【特許文献１】特開２０１０−２８１０１９号公報
【特許文献２】特開２００２−  ６９７８０号公報
【発明の概要】
【発明が解決しようとする課題】
【０００６】
本発明の目的は、上述したような点に鑑み、近年の前記合成繊維マルチフィラメント糸においての、多フィラメント化（例えば、フィラメント本数１００本以上５００本以下）や、単糸細繊度化（概して、０．１〜２．０デシテックス程度）などの糸条品位の高度化において、前記多フィラメント化や単糸細繊度化により懸念される毛羽や弛みなどの交絡処理に伴う糸条へのダメージが少ない新規な合成繊維マルチフィラメントを製造するのに好適に用いられるマルチフィラメント糸の交絡処理装置と交絡処理方法を提供することにある。
【課題を解決するための手段】
【０００７】
上述した目的を達成する本発明のマルチフィラメント糸の交絡処理装置は、以下の（１）の構成からなる。
【０００８】
（１）糸条が通過する糸道部と、該糸道部に開口する流体噴射孔と、該流体噴射孔から噴射された流体により、前記糸道部を通過する糸条に交絡を付与する糸処理部と、前記糸道部に前記糸条を導入する導糸部からなるマルチフィラメント糸の交絡処理装置において、前記糸道部の内部に前記糸道部の前記糸条の走行方向に垂直な断面における断面積が最も小さくなる絞り部を有し、
前記断面積が前記絞り部から前記糸道部の糸条の出入り口部に向けてなだらかに拡大し、前記流体噴射孔が前記糸条の走行方向に対して、前記絞り部より下流に開口し、前記絞り部の前記糸条の走行方向に垂直な断面における断面積Ａと糸条の太さＴとの関係が以下の式を満足することを特徴とするマルチフィラメント糸の交絡処理装置。
５０ ＜  Ａ／［Ｔ／１０７ρ］  ＜  １５０
Ａ：絞り部の断面積（ｍｍ２）
Ｔ：糸条の太さ（デシテックス）
ρ：糸条の密度（ｇ／１０−６ｍｍ）
また、かかる本発明のマルチフィラメント糸の交絡処理装置において、より具体的に好ましくは、以下の（２）〜（５）の構成を有するものである。
【０００９】
（２）前記糸条の走行方向に垂直な断面における前記絞り部の間隔をギャップ（Ｇ）とした場合、該ギャップ（Ｇ）が以下の式を満足することを特徴とする（１）に記載のマルチフィラメント糸の交絡処理装置。
０．０５ｍｍ  ＜  Ｇ  ＜  ０．３ｍｍ
（３）前記糸条の走行軸線Ｙと前記噴射孔の軸線がなす角度β（°）とが以下の式を満足することを特徴とする（１）または（２）のいずれかに記載のマルチフィラメント糸の交絡処理装置。
７０°＜  β  ＜  ８６°
（４）前記流体噴射孔が、互いに前記流体噴射孔の軸線の延長線上で交叉するように傾斜し前記糸処理部に開口する２つの流体噴射孔から構成されており、かつ、前記糸処理部が、外部と連通し前記糸処理部の一部を有するスリット部からなることを特徴とする（１）から（３）に記載のマルチフィラメント糸の交絡処理装置。
【００１０】
（５）前記２つの流体噴射孔が開口する開口壁面に、対向する前記絞り部に対応する位置を起点として、前記２つの流体噴射孔に挟まれた領域に、前記糸条の進行方向に対して前記絞り部より下流側へ、装置外部と連通する凹部を有することを特徴とする（１）から（４）に記載のマルチフィラメント糸の交絡付与装置。
【００１１】
（６）加圧流体の導入路を内部に設けた流体供給部と、該流体供給部の前記加圧流体導入路に沿って間隔をおいて列状に配置された流体噴射ノズル部材及び１つの側板部材を備え、該流体噴射ノズル部材は、隣接する他の流体噴射ノズル部材或いは１つの側板部材との間に、糸処理部と、該糸処理部と外部とを連通するスリットが介在するように隔離され、前記それぞれの流体噴射ノズル部材には、糸処理部に開口する流体噴射孔が設けられていることを特徴とする（１）から（５）のいずれかに記載のマルチフィラメント糸の交絡処理装置。
【００１２】
また、本発明のマルチフィラメント糸の交絡処理方法は、以下の（７）及び（８）の構成からなる。
【００１３】
（７）糸条が通過する糸道部と、該糸道部に開口する流体噴射孔と、該流体噴射孔から噴射された流体により、前記糸道部を通過する糸条に交絡を付与する糸処理部とからなるマルチフィラメント糸の交絡処理装置において、糸道部の糸条の導入側から排気される排気流の排気圧Ｐ１と上記糸道部の上記糸条の導出側から排気される排気流の排気圧Ｐ２の比率Ｐ２／Ｐ１が以下の式を満足する様に調整し、交絡を付与することを特徴とするマルチフィラメント糸の交絡処理方法。
５  ≦  Ｐ２／Ｐ１  ≦  １０
（８）前記排気流の調整を、該糸道部の前記糸条の走行方向に垂直な断面における断面積が最も小さくなる絞り部の断面積を調節することによって行うことを特徴とする（７）に記載のマルチフィラメント糸の交絡処理方法。
【００１４】
さらに、本発明のマルチフィラメント製造方法は、以下の（９）の構成からなる。
【００１５】
（９）上記（１）から（６）のいずれかに記載のマルチフィラメント糸交絡付与装置を用いてマルチフィラメント糸を製造することを特徴とするマルチフィラメント糸の製造方法。
【００１６】
また、本発明により得られるマルチフィラメント糸は、以下の（１０）に示す特徴を持つ構成からなる。
【００１７】
（１０）１以上１０個/ｍ以下の交絡数を有するとともに、単糸繊度が０．１デシテックス以上２．０デシテックス以下あるいはフィラメント数が９０本数以上５００本数以下のいずれかの構成を有するマルチフィラメント糸。
【発明の効果】
【００１８】
請求項１から５にかかる本発明によれば、特に近年の前記合成繊維マルチフィラメント糸においての、多フィラメント化（例えば、フィラメント本数１００本以上５００本以下）や、単糸細繊度化（概して、０．１〜２．０デシテックス程度）などの糸条品位の高度化において、前記多フィラメント化や単糸細繊度化により懸念される毛羽や弛みなどの交絡処理に伴う糸条へのダメージが少ない新規な合成繊維マルチフィラメントを製造することができる優れたマルチフィラメント糸の交絡処理装置が提供される。
また、請求項６、請求項７にかかる本発明によれば、特に上述の優れた合成繊維マルチフィラメント糸を製造することができる交絡処理方法が提供される。
【図面の簡単な説明】
【００１９】
【図１】本発明にかかるマルチフィラメント糸の交絡処理装置の構造を概略的に示した概略斜視図である。
【図２】図１に示した交絡処理装置１におけるマルチフィラメント糸の走行方向軸線Ｙと垂直方向の断面をとった概略断面モデル図である。
【図３】図１と図２に示した交絡処理装置１のＺ−Ｚ断面を取った概略断面モデル図である。
【図４】図３と同様に図１と図２に示した交絡処理装置１の概略断面モデル図であり、流体噴射ノズル部材３が絞り部よりも下流側に向かって糸処理部断面積が大きくなる形状を持つ場合の一例を示す概略断面モデル図である。
【図５】図１に示した本発明にかかる流体交絡処理装置1の前記糸処理部が外部と連通し前記糸処理部が開放されているとともに、処理装置に内蔵する図示しない２つの流体噴射孔を有する場合の一例を示す概略斜視図である。
【図６】図５に示した交絡処理装置1におけるマルチフィラメント糸の走行方向軸線Ｙと垂直方向の断面をとった概略断面モデル図である。
【図７】図５と図６に示した交絡処理装置１のＸ−Ｘ断面をとった概略断面モデル図である。
【図８】多糸条を同時に集中して処理可能な一体の流体処理装置として組み立てられた本発明にかかる交絡処理装置の構造の一例を示したもので、（ａ）が図１から図４、（ｂ）が図５から図８の概略斜視図である。
【図９】図９の（ａ）および（ｂ）のマルチフィラメント糸の走行方向軸線Ｙと垂直方向の断面をとった概略断面モデル図である。
【図１０】本発明にかかる糸道部の糸条の導入側から排気される排気流の排気圧Ｐ１と上記糸道部の上記糸条の導出側から排気される排気流の排気圧Ｐ２の測定方法を説明する概略図である。
【図１１】実施例で採用したポリエチレンテレフタレートマルチフィラメント糸を溶融紡糸して流体交絡処理に供して、流体交絡マルチフィラメント糸を製造するプロセスの一例をモデル的に示したものである。
【発明を実施するための形態】
【００２０】
以下、更に詳しく本発明について、説明する。
【００２１】
図１は、本発明にかかるマルチフィラメント糸の交絡処理装置の構造の一例を概略的に示した概略斜視図であり、Ｙはマルチフィラメント糸からなる糸条の走行方向を示す走行軸線であり、交絡処理装置１は流体供給部１１、流体噴射ノズル部材１２、側板部材１３からなっており、流体噴射ノズル部材１２と側板部材１３を組み合わせることで糸道部１４を交絡処理装置１の内部に構成する。
【００２２】
この図１に示した流体交絡処理装置１におけるマルチフィラメント糸からなる糸条の走行軸線Ｙに対し垂直方向の断面をとった概略断面モデル図を、図２に示した。
【００２３】
図２において、交絡処理装置１は、１１の流体供給部、１２の流体噴射ノズル部材、１３の側板部材からなり、１５は流体噴射孔であり、連続し走行するマルチフィラメント糸に流体を噴射することで交絡が付与される。
【００２４】
１６はマルチフィラメント糸からなる糸条を交絡処理装置１に糸通しする際に糸導入部として用いられる導糸部であり、１７は流体噴射孔１５に流体を供給する流体供給路であり１８は流体供給路１７に流体を導入する流体導入通路である。
【００２５】
１９は流体供給部１１と流体噴射ノズル部材１２との接合部から、流体が外部に漏れ出すことを防ぐシール部材である。
【００２６】
図３は、図１及び図２に示した交絡処理装置１の糸条の走行軸線Ｙの縦断面であるＺ−Ｚ断面を示した概略平面モデル図で流体噴射孔１５から噴射された流体が糸条進行方向に対して下流側に排気が促進される原理を説明する図である。
【００２７】
図において２０は糸処理部であり、この部分で走行する糸条が弦振動を起こして交絡が付与される。
【００２８】
同図において、２１は、糸道部１４の内部に糸道部１４の断面積が最も小さくなる絞り部である。絞り部２１は、流体噴射孔１５が開口する開口壁面（ＦＯ）に対向し、糸条の進行方向に対しなだらかに拡大する対向壁面（ＦＰ）を構成する。絞り部２１を糸条の走行方向に対して流体噴射孔１５より上流に設けることで流体噴射孔１５から噴射される空気流が糸条の走行軸線Ｙの下流側への排気を促進するとともに、上流側への排気を防ぐ役目をする。
【００２９】
また、絞り部２１から噴射孔１５の軸線と距離開口壁面（ＦＯ）が交わる交点までの距離は、糸条に交絡挙動を与える運動領域を確保する上でポイントとなるが、その長さは、処理する糸条の太さや本数、糸条の断面形状等により適正化をおこなった上適用することが必要であり、好ましくは３ｍｍ程度の距離があれば十分な運動領域を得ることができ交絡品位に優れた処理が可能となる。またその長さの最大値は、対向壁面（ＦＰ）の傾斜角度や処理圧力、張力により左右されるが、１０ｍｍ程度の距離があっても本発明の目的に添った交絡が処理できる。
【００３０】
図３の（ａ）は流体噴射孔１５を糸条の走行軸線Ｙに対し垂直に設けた態様を説明する図であり、図３の（ｂ）は流体噴射孔１５の軸線を糸条の走行軸線Ｙに対しβ（°）傾斜させた態様を説明する概略モデル図である。
【００３１】
本発明において、糸条の走行軸線Ｙに対し、絞り部２１が流体噴射孔１５より上流に設けられているので、絞り部２１により糸条の進行方向と逆方向に流れる流体を堰き止ることで、糸条の進行方向と順方向に積極的に促す流れを創出できるので、毛羽や弛みの原因である糸条を入口部側の方向に戻そうとする流れが阻止された結果、マルチフィラメントからなる糸条の一部の単糸繊維が弛んだり、弛んだ単糸繊維が糸道壁面との擦過による切断など毛羽に繋がる不具合が生じない、極めて交絡品位に優れた糸条が得られるとともに、効率的な生産性が実現できる。
【００３２】
また、糸道部１４の断面積が絞り部２１から糸道部１４の糸条の出入り口部に向け、なだらかに拡大しているので、糸条を糸処理部２０に滑らかに導入できるとともに、糸条に噴射された流体が糸条の出口部側に整流されながら排気されるので乱流による糸条の乱れた運動が抑制され、その結果毛羽や弛みが存在しない、糸条品位に優れた交絡糸を得ることができる。
【００３３】
図４（ａ）及び（ｂ）は、図３（ａ）及び（ｂ）に示した流体噴射交絡処理装置１の概略断面モデル図に対し、別の実施態様を示した概略断面モデル図であり、絞り部２１を境に糸条の出入り口部に向け、糸道部の対向する壁面が双方ともなだらかに拡大することを説明するための概略断面モデル図である。
【００３４】
上記のように、絞り部を境に糸条の出入り口方向に向け糸道部の双方の壁面を傾斜しなだらかに拡大させることで、糸道を通過する流体の排気抵抗が低減し、更に効果的に流体を外部へ排出することができるので、毛羽や弛みが極めて少なく、交絡の均一性に優れた処理が可能となる。
【００３５】
図５は、本発明にかかるマルチフィラメント糸の交絡処理装置において、更に別の構造をもつ実施態様を示した交絡処理装置１’の概略斜視図であり、Ｙはマルチフィラメント糸からなる糸条の走行方向を示す走行軸線であり、交絡処理装置１’は流体供給部１１’、流体噴射ノズル部材１２’、側板部材１３’からなっており、流体噴射ノズル部材１２’にはＶ溝１４’が形成されている。
【００３６】
この図５に示した流体交絡処理装置１’におけるマルチフィラメント糸からなる糸条の走行軸線Ｙに対し垂直方向の断面をとった概略断面モデル図を、図６に示した。
【００３７】
図６において、図２と同様に、交絡処理装置１’は、１１’の流体供給部、１２’の流体噴射ノズル部材、１３’の側板部材からなり、１５’は流体噴射孔であり、連続し走行するマルチフィラメントに流体を噴射することで交絡が付与される。
【００３８】
１５’は互いに流体噴射孔の軸線の延長線上で交叉するように傾斜し穿孔された２つの流体噴射孔であり、２つの流体噴射孔１５’で挟まれた空間により糸処理部２０’を形成され、通過する糸条に交絡を付与する。
【００３９】
１６’はマルチフィラメント糸からなる糸条を交絡処理装置１’に糸通しする際に糸導入部として用いられるスリット部であり糸処理部２０を一部に含む。
【００４０】
１７’は流体噴射孔１５’に流体を供給する流体供給路であり１８’は流体供給路１７’に流体を導入する流体導入通路である。
【００４１】
１９’は流体供給部１１’と流体噴射ノズル部材１２’との接合部から、流体が外部に漏れ出すことを防ぐシール部材である。
【００４２】
このように、図５、図６に示した交絡処理装置１’は、糸処理部が、流体噴射ノズル部材１２’に設けられた互いに交差する２つの流体噴射孔から噴射された流体に挟まれた空間に一体的に構成されており、かつ、糸処理部が、外部と連通するスリット部を有しているシンプルな構造とすることで、交絡性能が組立精度に左右される心配が無いので、糸処理部が複数の部材から構成される他の構造のものに比べ、個体バラツキの少ない均一性に優れた交絡処理が可能となる。
【００４３】
図７は、図３同様に図５と図６に示した交絡処理装置１’の概略平面モデル図であり、図６における糸条走行軸線Ｙの縦断面であるＸ−Ｘ断面を示したものである。
【００４４】
図７の（ａ）、（ｂ）は図３の（ａ）、（ｂ）と同様の形状を示し、糸道が開放型であることを特徴としている。
【００４５】
図６、図７に示すように、糸処理部１４’には流体噴射孔１５’が先行された流体噴射ノズル部材１２’に糸条の入口側に貫通しない凹部Ｕが設けられており、凹部Ｕの効果により交絡処理に伴う糸の運動領域を十分確保することが可能となり、更に凹部Ｕを糸条の入口部側に貫通させないことで糸条の進行方向に対する流体の逆流を防いだ結果、毛羽・弛みの抑制と優れた集束性が両立できる交絡糸を得ることが可能となる。
【００４６】
ここで、凹部の断面形状は、変化せず一様のものが一般的であるが、たとえば出口に向けて拡大するように、あるいは縮小するように、また連続的にあるいは断続的に変化させてもかまわない。
【００４７】
また、本発明は、絞り部２１を起点として糸条走行軸線Ｙの上流側および下流側に向かって断面積が大きくなる様に構成されており、絞り部２１の断面積Ａと糸条の太さＴとの関係が次式（１）の範囲を満足するようにすることが好ましい。
【００４８】
５０   ＜  Ａ／［Ｔ／１０７ρ］  ＜  １５０・・・・・＜１＞
Ａ：絞り部の断面積（ｍｍ２）
Ｔ：糸条の太さ（デシテックス）
ρ：糸条の密度（ｇ／１０−６ｍｍ）
通常、糸条の太さは糸条の長さが１０７（ｍｍ）に対する重さ（ｇ）で示し、単位はＴ（デシテックス）で表される。つまり、糸条の太さＴ（デシテックス）は糸条の断面積をａ（ｍｍ２）とすると、糸条の断面積ａ（ｍｍ２）と、糸条の長さ：１０７（ｍｍ）と、糸条の密度：ρ（ｇ／ｍｍ3）との積で表すことができる。よって、上記関係から糸条の断面積ａは糸条の太さＴ（デシテックス）を糸条の長さ：１０７（ｍｍ）と糸条の密度：ρ（ｇ／ｍｍ3）の積で割ることで求めることができる。つまり上記式＜１＞は絞り部の断面積Ａと糸条の断面積ａの比率Ａ／ａにおいて好ましい範囲を示している。
【００４９】
また、図２における絞り部の断面積Ａとは、絞り部２１により糸道の断面積が最も小さくなる部分を指しスリット部１６を含まない斜線部で示す。
【００５０】
更に、図６における絞り部の断面積とは、絞り部２１’におけるスリット部１６’の間隙と、互いに流体噴射孔の軸線の延長線上で交叉するように傾斜する２つの流体噴射孔１５’の糸道側の稜線（Ｌ）との間で囲まれた部分を指し斜線部で示す。
【００５１】
Ａ／［Ｔ／１０７ρ］が５０より大きく１５０より小さい範囲にすることで、糸条の走行方向に対し上流側へ排気される流体の量を少なくでき、糸条の入口側へ糸条を戻そうとする流れを小さくすることができるので、毛羽弛みの少ない糸条品位に優れた交絡が付与できる。
【００５２】
また、本発明は、糸条の走行方向に垂直な断面における絞り部２１のスリット部の間隔をギャップ（Ｇ）とした場合、ギャップ（Ｇ）が以下の式＜２＞を満足することが好ましい。
【００５３】
０．０５ｍｍ  ＜  Ｇ  ＜  ０．３ｍｍ・・・・・＜２＞
Ｇが０．０５ｍｍより大きく０．３ｍｍより小さい範囲とすることで、絞り部における糸条の走行性を損なうことなく、糸条の走行方向に対し上流側へ排気される流体が流れる量を規制し交絡処理ができるので、毛羽弛みの発生を抑制するとともに、適度に集束性のある交絡が付与できる。
【００５４】
また、糸処理部の断面形状が三角形など凹部からなる形状であっても、糸道方向に貫通しない構造とすることで、上記ギャップ（Ｇ）を上記＜２＞式の範囲と調整することができ、上記と同様の効果を発揮することが可能となる。
【００５５】
本発明の交絡処理装置は図３の（ｂ）に示すように、糸条の走行軸線Ｙと流体噴射孔の軸線がなす角度β（°）が以下の式を満足することが好ましい。
７０°＜β°＜８６°・・・・・（２）
β°が７０°より大きく８６°より小さい範囲にすることで、流体噴射孔から噴射された流体を更に効果的糸出口側へ排気することができるため毛羽弛みの発生を抑制するとともに、適度に集束性のある均一性に優れた交絡処理が可能となる。
【００５６】
本発明の流体交絡処理装置は図８（ａ）、（ｂ）に示したように、複数本のマルチフィラメント糸を平行同時的にかつ物理的に一つの処理装置に集中させて処理が可能なように一体の流体処理装置として組立てられた多糸条流体処理ノズルとして使用される場合に、より高い生産性が実現可能な効果を発揮する。
【００５７】
ここで、図９（ａ）、（ｂ）に示すのは、図２および図６と同様に、図８の（ａ）、（ｂ）の多糸条用流体交絡処理装置におけるマルチフィラメント糸の走行方向軸線Ｙと垂直方向の断面をとった概略断面モデル図である。
【００５８】
すなわち、一糸条に対する流体噴射孔を有する流体噴射ノズル部材１３，１３’が、一方でその背面壁部において隣の糸条の糸処理部の一部をなす壁を形成していて、そのような兼用構造で多糸条分が連立して一つのユニット体を形成しているという基本的構造を有する流体交絡処理ノズルである。図９において、２２、２２’、及び２３，２３’は一体化のためのボルトである。
【００５９】
上記多糸条用流体交絡処理装置１０１、１０１’は、流体導入通路１７、１７’を内部に設けた流体供給部１１、１１’と、該流体供給部１１、１１’の加圧流体導入通路１８、１８’の方向に沿って間隔をおいて列状に配置された少なくとも２つの流体噴射ノズル部材１３、１３’とからなり、該少なくとも２つの流体噴射ノズル部材は、隣接する他の流体噴射ノズル部材との間に、糸道部１４、１４’と、この糸道部１４、１４’と外部とを連通する糸掛けスリット部１６’とが介在するように離間させられ、該各々の流体噴射ノズル部材には、糸道部１４、１４’に向かって開口する流体噴射孔１５、１５’が構成されているとともに、流体供給部１１、１１’の加圧流体導入通路１８、１８’から分岐され流体噴射孔１５、１５’に連通する流体通路１７、１７’が設けられている。
【００６０】
この多糸条流体処理装置１０１は、流体噴射孔１５のみを有する流体噴射ノズル部材１３、流体噴射孔１５と糸処理部１４を有する流体噴射ノズル部材１３を少なくとも有し、また、これらを一つのユニットに構成するハウジング部材２４、２５、流体噴射孔１５に流体を供給する流体供給部１１から構成される。
【００６１】
さらに本発明に掛かる他の多糸条流体処理装置１０１’は、流体噴射孔１５’のみを有する流体噴射ノズル部材１３Ａ’、流体噴射孔１５’と糸道部１４’を有する流体噴射ノズル部材１３’、側板部１２’を少なくとも有し、また、これらを一つのユニットに構成するハウジング部材２４、２５、流体噴射孔１５’に流体を供給する流体供給部１１から構成される。
【００６２】
図９（ａ）に示すように、多糸条流体処理装置１０１は、流体噴射ノズル部材１３Ａ、流体噴射ノズル部材１３をハウジング部材２４、２５で両側から挟み込みボルト２３で固定する。上記ユニットと流体供給部１１は、２本のボルト２２により固定され、この間のシールを行うために、シール部材１９が設置されている。
【００６３】
また、図９（ｂ）に示す多糸条流体処理装置１０１’は、図９（ａ）と同様に、流体噴射ノズル部材１３Ａ’、流体噴射ノズル部材１３’、側板部１２’をハウジング部材２４’、２５’で両側から挟み込みボルト２３’で固定する。上記ユニットと流体供給部１１’は、２本のボルト２２’により固定され、この間のシールを行うために、シール部材１９’が設置されている。
【００６４】
コンプレッサなどの流体源（図示せず）から供給される圧縮空気は、加圧流体導入路１８、１８’へ供給され、流体噴射ノズル部材１２，１３，１３・・、あるいは１３Ａ’，１３・・・内に形成された流体通路１９、１９’を介して流体噴射孔１５、１５’から糸条へ向け噴射される。
【００６５】
この多糸条用流体交絡処理装置１０１、１０１’においても、流体噴射孔１５、１５’が開口する開口壁面（ＦＯ）に対向し、糸条の進行方向に対しなだらかに拡大する対向壁面（ＦＰ）を構成することで、糸道部１４の内部に糸道部１４の断面積が最も小さくなる絞り部２１を形成し、さらに、絞り部２１を上記糸条の走行方向に対して流体噴射孔１５、１５’より上流に設けることで流体噴射孔１５、１５’から噴射される空気流が糸条の走行軸線Ｙの下流側への排気を促進させる。
【００６６】
また、上記多糸条用流体交絡処理装置１０１、１０１’は、図３、４または図７および図８に示す実施例と同様に、流体噴射孔１５、１５’の中心軸線を糸条走行軸線Ｙに対しβ（°）傾斜させることで、上記下流側への排気効果を向上させることができる。
【００６７】
本発明において、この図８、図９に示したような流体処理装置を用いる場合、同時に処理されるマルチフィラメント糸は３本以上であることが好ましい。
【００６８】
本発明の交絡処理方法は、糸条が通過する糸道部と、該糸道部に開口する流体噴射孔と、該流体噴射孔から噴射された流体により、前記糸道部を通過する糸条に交絡を付与する糸処理部とからなるマルチフィラメント糸の交絡処理装置において、糸道部の糸条の導入側から排気される排気流の排気圧Ｐ１と上記糸道部の上記糸条の導出側から排気される排気流の排気圧Ｐ２の比率Ｐ２／Ｐ１が次式＜４＞を満足する様に調整し、交絡を付与することが好ましい。
５  ≦  Ｐ２／Ｐ１  ≦  １０・・・・・＜４＞
Ｐ２／Ｐ１が５以上１０以下範囲とすることで、絞り部における糸条の通過性や集束性を損なうことなく交絡処理することが可能となり、さらに、糸条の走行を妨げる原因である走行方向に対する上流側への流れを抑制できるので、毛羽や弛みのない交絡品位に優れた糸条を生産することできる。
【００６９】
図１０は、本発明にかかるマルチフィラメント糸の交絡処理装置１から排出される排気流の圧力を測定する方法を説明する図であり、交絡処理装置１の流体噴射孔１５の軸線と開口壁面ＦＯとの交点と、糸条の入口側の排気圧を測定する圧力計Ｐ１の測定口までの距離Ｌ１と、絡処理装置１の流体噴射孔１５の軸線と開口壁面ＦＯとの交点と、糸条の出口側の排気圧を測定する圧力計Ｐ２の測定口までの距離Ｌ２を等しくし測定した。測定は測定口を糸条の走行軸線Ｙに対し垂直な面内において移動させ、最も高い圧力を示す位置での測定値を採用した。
【００７０】
図１１は、本発明にかかる交絡処理装置を用いマルチフィラメント糸を製造するためのマルチフィラメント糸の製造装置の概略図であり、１１３は図示しない紡糸口金より紡出された熱可塑性溶融ポリマーに工程通過性を向上させるためマルチフィラメント糸に油剤付与する給油ガイドである。１１０、１１１は３０００ｍ／分前後の引き取り速度においてマルチフィラメント糸を延伸し搬送する第１、第２ゴデットローラで、１１２は延伸し搬送されたマルチフィラメント糸を巻き取る巻き取り機である。
【実施例】
【００７１】
以下の実施例において、交絡数の測定と判定、毛羽数の測定と判定、バラツキの測定と判定は以下の手法によったものである。
（１）交絡数の測定と評価：
本発明の各実施例および比較例で得られた各ポリエステル部分配向未延伸糸について、ロッシールド社製自動連続交絡度試験器Ｒ−２０７２を用い、プリテンションを１０ｃＮ、トリップテンションを１７ｃＮと設定し、設定計数交絡部数を２０個として試料糸を走行させて、交絡部が２０個カウントされるまでに要した糸長さ（走行糸長さ）を測定し、交絡部から次の交絡部までの長さの平均値を、まず求めた。
【００７２】
さらに、上記長さの平均値から糸長さ１ｍあたりの交絡の個数に換算し、該換算値を「糸長さ１ｍあたり交絡数」として求めた。測定に当たっては、ｎ数を２０回としてその平均値を求めた。
【００７３】
交絡数についての判定は、糸１ｍ長さ当たりの交絡数が、２個未満を「不良」として表１では「×」で表記し、２個以上５個未満を「やや未達」として表１では「△」で表記し、５個以上１０個未満を「良」として表１では「○」で表記し、１０個以上を「最良」として表１では「◎」で表記し、「良」以上を合格とし、「不良」は不合格とした。
（２）毛羽数の測定と判定
本発明の各実施例・比較例で得られた各ポリエステル部分配向未延伸糸について、東レ・エンジニアリング株式会社製毛羽計数装置ＤＴ−１０５を用いて、Ｓ型検出器により検出高さを０．５ｍｍに設定し、パッケージの解舒速度を５００ｍ／分として、５００００ｍの糸長さについて測定して、そのまま糸５００００ｍ長さ当たりに存在する毛羽数として求めた。
【００７４】
毛羽数についての判定は、糸５００００ｍ長さ当たりの毛羽数が、１５個を越えるものを「不良」とし「×」で表記し、１０個を超え１５個以下のものを「やや未達」として「△」で表記し、５個を超え１０個以下のものを「良」として「○」で表記し、５個以下を「最良」として「◎」で表記し、「良」以上を合格とし、「不良」は不合格とした。
実施例１〜８、比較例１〜８
表１に示した各種ディメンジョンの条件の流体交絡処理装置を用いて、図５に示した装置および工程により９０デシテックス、フィラメント本数９６本のポリエチレンテレフタレートマルチフィラメント糸を溶融紡糸して流体交絡処理に供して巻取り速度３０００ｍ／分で巻き取り、流体交絡マルチフィラメント糸を製造した。
【００７５】
流体交絡処理装置は、表１に示した条件の他、噴射孔径０.９ｍｍとしたものを用い、流体（圧空）噴射圧力を０．２ＭＰａとし、交絡処理を施した。このときの紡糸張力は５０ｇであった。
【００７６】
各実施例および比較例で得られた各ポリエステル部分配向未延伸糸の糸質を表１に示した。
【００７７】
【表１】
2013227711.tif 000003
【符号の説明】
【００７８】
１、１’    :交絡処理装置
１１、１１’:流体供給部
１２、１２’:流体噴射ノズル部材
１３、１３’:側板部材
１３Ａ、１３Ａ’:流体噴射ノズル部材
１４、１４’:糸道部
１５、１５’:流体噴射孔
１６       ：導糸部
１６’      :スリット部
１７、１７’:流体供給路
１８、１８’:流体導入通路
１９、１９’:シール部材
２０、２０’:糸処理部
２１、２１’:絞り部
２２、２２’:ボルト
２３、２３’:挟み込みボルト
２４、２４’:ハウジング部材
２５、２５’:ハウジング部材
１０１、１０１’:多糸条流体処理装置
１１０  ：第１ゴデットロール
１１１  ：第２ゴデットロール
１１２  ：巻取機
１１３  ：給油ガイド
Ｙ    :糸条の走行軸線
β    :糸条の走行軸線と少なくとも２つの流体噴射孔の軸線がなす角度
Ａ    :絞り部の断面積
Ｇ    :ギャップ
Ｕ    ：凹部
ＦＯ、ＦＯ’:流体噴射孔が開口する開口壁面
ＦＰ、ＦＰ’:糸条の進行方向に対しなだらか拡大する対向壁面
Ｐ１、Ｐ２  ：圧力計
Ｌ１、Ｌ２  ：排気圧力測定距離
【図１】
2013227711.tif 000004
【図５】
2013227711.tif 000005
【図８】
2013227711.tif 000006
【図１１】
2013227711.tif 000007
【図２】
2013227711.tif 000008
【図３】
2013227711.tif 000009
【図４】
2013227711.tif 000010
【図６】
2013227711.tif 000011
【図７】
2013227711.tif 000012
【図９】
2013227711.tif 000013
【図１０】
2013227711.tif 000014